【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
インクを吐出する複数の吐出口を配列してなる吐出口列を備えた吐出口面を有する記録ヘッドと、
前記吐出口面をワイピングするワイピング部材と、
前記記録ヘッドと前記ワイピング部材とを相対的に移動させる移動手段と、
前記記録ヘッドの温度を調整する調整手段と、を有するインクジェット記録装置であって、
前記記録ヘッドからインクを吐出させながら前記ワイピング部材で前記吐出口面をワイピングするワイピング動作の後に、前記調整手段で前記記録ヘッドの温度が第１の温度となるように調整した状態で前記記録ヘッドからインクを吐出する第１の予備吐出動作を行い、さらに、前記調整手段で前記記録ヘッドの温度が前記第１の温度より低い第２の温度となるように調整した状態で前記記録ヘッドからインクを吐出する第２の予備吐出動作を行うように制御する回復制御手段を有することを特徴とするインクジェット記録装置。
【請求項２】
前記回復制御手段は、前記ワイピング動作の際に、前記ワイピング部材が前記吐出口面を複数回ワイピングするように制御することを特徴とする請求項１に記載のインクジェット記録装置。
【請求項３】
前記移動手段は、前記複数の吐出口の配列方向に沿うように前記ワイピング部材を移動することを特徴とする請求項１または２に記載のインクジェット記録装置。
【請求項４】
前記移動手段は、前記複数の吐出口の配列方向と交差する方向に沿うように前記ワイピング部材を移動することを特徴とする請求項１乃至３のうちのいずれか１項に記載のインクジェット記録装置。
【請求項５】
前記複数の吐出口のそれぞれに対応するように、インクを吐出するための熱エネルギーを生成する複数の電気熱変換素子が設けられていることを特徴とする請求項１乃至４のうちのいずれか１項に記載のインクジェット記録装置。
【請求項６】
前記調整手段は、前記複数の電気熱変換素子を駆動することで前記記録ヘッドを加熱して前記記録ヘッドの温度を調整することを特徴とする請求項５に記載のインクジェット記録装置。
【請求項７】
前記記録ヘッドを加熱するための加熱手段をさらに有しており、
前記調整手段は、前記加熱手段を駆動することで前記記録ヘッドを加熱して前記記録ヘッドの温度を調整することを特徴とする請求項１乃至５のいずれか１項に記載のインクジェット記録装置。
【請求項８】
前記記録ヘッドは、前記吐出口列の吐出口から吐出されるインク滴の量よりも多いインク滴を吐出する複数の吐出口からなる他の吐出口列を有していることを特徴とする請求項１乃至７のうちのいずれか１項に記載のインクジェット記録装置。
【請求項９】
前記回復制御手段は、前記ワイピング動作の後であって、前記第１の予備吐出動作の前に、前記記録ヘッドからインクを吐出させることなく前記ワイピング部材で前記吐出口面をワイピングするように制御することを特徴とする請求項１乃至８のうちのいずれか１項に記載のインクジェット記録装置。
【請求項１０】
インクを吐出する複数の吐出口を配列してなる吐出口列を備えた吐出口面を有する記録ヘッドと、前記吐出口面をワイピングするワイピング部材とを有するインクジェット記録装置の制御方法であって、
前記記録ヘッドからインクを吐出させながら前記ワイピング部材で前記吐出口面をワイピングするワイピング工程と、
前記ワイピング工程の後に、前記記録ヘッドの温度が第１の温度の状態で前記記録ヘッドからインクを吐出する第１の予備吐出動作を行う工程と、
前記第１の予備吐出動作の後に前記記録ヘッドの温度が前記第１の温度より低い第２の温度の状態で前記記録ヘッドからインクを吐出する第２の予備吐出動作を行う工程と、
を有するインクジェット記録装置の制御方法。
【請求項１１】
前記ワイピング工程と前記第１の予備吐出動作を行う工程と、前記第２の予備吐出動作を行う工程とは連続して行うことを特徴とする請求項１０に記載のインクジェット記録装置の制御方法。
【請求項１２】
前記ワイピング工程は、前記ワイピング部材と前記記録ヘッドとを相対的に移動させながら行うことを特徴とする請求項１０または１１に記載のインクジェット記録装置の制御方法。
【請求項１３】
前記ワイピング工程では、前記ワイピング部材が前記吐出口面を複数回ワイピングすることを特徴とする請求項１０乃至１２のうちのいずれか１項に記載のインクジェット記録装置の制御方法。
【請求項１４】
前記複数の吐出口のそれぞれに対応するように、インクを吐出するための熱エネルギーを生成する複数の電気熱変換素子が設けられていることを特徴とする請求項１０乃至１３のうちのいずれか１項に記載のインクジェット記録装置の制御方法。
【請求項１５】
前記ワイピング工程の後であって、前記第１の予備吐出動作を行う工程の前に、記録ヘッドからインクを吐出させることなく前記ワイピング部材で前記吐出口面をワイピングする工程を有することを特徴とする請求項１０乃至１４のうちのいずれか１項に記載のインクジェット記録装置の制御方法。
【手続補正２】
【補正対象書類名】明細書
【補正対象項目名】発明の名称
【補正方法】変更
【補正の内容】
【発明の名称】インクジェット記録装置、および、インクジェット記録装置の制御方法
【手続補正３】
【補正対象書類名】明細書
【補正対象項目名】０００１
【補正方法】変更
【補正の内容】
【０００１】
本発明は、インクを吐出し記録動作を行うインクジェット記録装置、および、インクジェット記録装置の制御方法に関する。
【手続補正４】
【補正対象書類名】明細書
【補正対象項目名】００１２
【補正方法】変更
【補正の内容】
【００１２】
以上の問題点を考慮し、本発明は、回復処理後、記録ヘッドにおけるインク吐出口内に気泡を残さず、インク吐出口形成面に固着した増粘インク等の付着物を除去する効果を高めることができるインクジェット記録装置、および、インクジェット記録装置の制御方法を提供することを目的とする。
【手続補正５】
【補正対象書類名】明細書
【補正対象項目名】００１３
【補正方法】変更
【補正の内容】
【００１３】
上述の目的を達成するために、本発明に係るインクジェット記録装置は、インクを吐出する複数の吐出口を配列してなる吐出口列を備えた吐出口面を有する記録ヘッドと、吐出口面をワイピングするワイピング部材と、記録ヘッドとワイピング部材とを相対的に移動させる移動手段と、記録ヘッドの温度を調整する調整手段と、を有するインクジェット記録装置であって、記録ヘッドからインクを吐出させながらワイピング部材で吐出口面をワイピングするワイピング動作の後に、調整手段で記録ヘッドの温度が第１の温度となるように調整した状態で記録ヘッドからインクを吐出する第１の予備吐出動作を行い、さらに、調整手段で記録ヘッドの温度が第１の温度より低い第２の温度となるように調整した状態で記録ヘッドからインクを吐出する第２の予備吐出動作を行うように制御する回復制御手段を有することを特徴とする。
【手続補正６】
【補正対象書類名】明細書
【補正対象項目名】００１４
【補正方法】変更
【補正の内容】
【００１４】
また、本発明に係るインクジェット記録装置の制御方法は、インクを吐出する複数の吐出口を配列してなる吐出口列を備えた吐出口面を有する記録ヘッドと、吐出口面をワイピングするワイピング部材とを有するインクジェット記録装置の制御方法であって、記録ヘッドからインクを吐出させながらワイピング部材で吐出口面をワイピングするワイピング工程と、ワイピング工程の後に、記録ヘッドの温度が第１の温度の状態で記録ヘッドからインクを吐出する第１の予備吐出動作を行う工程と、第１の予備吐出動作の後に記録ヘッドの温度が第１の温度より低い第２の温度の状態で記録ヘッドからインクを吐出する第２の予備吐出動作を行う工程と、を有する。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
本発明に係るインクジェット記録装置、および、インクジェット記録装置の制御方法
によれば、回復制御手段が、記録ヘッドからインクを吐出させながらワイピング部材で吐出口面をワイピングするワイピング動作の後に、調整手段で記録ヘッドの温度が第１の温度となるように調整した状態で記録ヘッドからインクを吐出する第１の予備吐出動作を行い、さらに、調整手段で記録ヘッドの温度が第１の温度より低い第２の温度となるように調整した状態で記録ヘッドからインクを吐出する第２の予備吐出動作を行うように制御するので回復処理後、記録ヘッドにおけるインク吐出口内に気泡を残さず、インク吐出口形成面に固着した増粘インク等の付着物を除去する効果を高めることができる。
【手続補正９】
【補正対象書類名】明細書
【補正対象項目名】００１７
【補正方法】変更
【補正の内容】
【００１７】
【図１】本発明に係るインクジェット記録装置の一例に備えられる制御ユニットが、例えば、マイクロコンピュータにより構成された場合、それが実行するプログラムの一例をあらわすフローチャートである。
【図２】本発明に係るインクジェット記録装置の一例の要部の構成を概略的に示す斜視図である。
【図３】図２に示される例における記録部に備えられるヘッドインクカートリッジを拡大して示す斜視図である。
【図４】本発明に係るインクジェット記録装置の制御方法の一例としての記録ヘッドの回復処理方法の第１実施例が適用されたヘッドインクカートリッジにおける記録ヘッドの一部を部分的に拡大して示す平面図である。
【図５】（Ａ），（Ｂ），（Ｃ）は、それぞれ、図４に示されるヘッドインクカートリッジにおける記録ヘッドの一部を部分的に拡大して示す断面図である。
【図６】図４に示される記録ヘッドの一部を、発熱素子とともに部分的に拡大して示す平面図である。
【図７】図２に示されるインクジェット記録装置に備えられる制御ブロックの構成を示すブロック図である。
【図８】（Ａ）および（Ｂ）は、それぞれ、図２に示される例における動作説明に供される図である。
【図９】図２に示される例において、制御ユニットが、例えば、マイクロコンピュータにより構成された場合、それが、ウェットワイピング処理において実行するプログラムの一例をあらわすフローチャートである。
【図１０】図２に示される例において、制御ユニットが、例えば、マイクロコンピュータにより構成された場合、それが、気泡除去処理において実行するプログラムの一例をあらわすフローチャートである。
【図１１】図２に示される例において、制御ユニットが、例えば、マイクロコンピュータにより構成された場合、それが、加熱シーケンスにおいて実行するプログラムの一例をあらわすフローチャートである。
【図１２】図２に示される例において、制御ユニットが、例えば、マイクロコンピュータにより構成された場合、それが、加熱保持シーケンスにおいて実行するプログラムの一例をあらわすフローチャートである。
【図１３】図２に示される例において、制御ユニットが、例えば、マイクロコンピュータにより構成された場合、それが、発熱素子を用いた加熱シーケンスにおいて実行するプログラムの一例をあらわすフローチャートである。
【図１４】図２に示される例において、制御ユニットが、例えば、マイクロコンピュータにより構成された場合、それが、発熱素子を用いた加熱保持シーケンスにおいて実行するプログラムの一例をあらわすフローチャートである。
【図１５】本発明に係るインクジェット記録装置の制御方法の一例としての記録ヘッドの回復処理方法の第２実施例が適用されたヘッドインクカートリッジにおける記録ヘッドの一部を部分的に拡大して示す平面図である。
【図１６】図１５に示されるヘッドインクカートリッジにおける記録ヘッドの一部を部分的に拡大して示す断面図である。
【図１７】（Ａ），（Ｂ），および（Ｃ）は、それぞれ、本発明に係るインクジェット記録装置の制御方法の一例としての記録ヘッドの回復処理方法の第２実施例の動作説明に供される図である。
【図１８】記録ヘッドの回復処理方法の第２実施例において、制御ユニットが、例えば、マイクロコンピュータにより構成された場合、それが、ウェットワイピング処理において実行するプログラムの一例をあらわすフローチャートである。
【図１９】記録ヘッドの回復処理方法の第２実施例において、制御ユニットが、例えば、マイクロコンピュータにより構成された場合、それが、ウェットワイピング処理において実行するプログラムの他の一例をあらわすフローチャートである。
【図２０】本発明に係るインクジェット記録装置の制御方法の一例としての記録ヘッドの回復処理方法の第３実施例が適用されたヘッドインクカートリッジにおける記録ヘッドの一部を部分的に拡大して示す平面図である。
【図２１】（Ａ）および（Ｂ）は、それぞれ、記録ヘッドの回復処理方法の第３実施例の動作説明に供される図である。
【図２２】本発明に係るインクジェット記録装置の制御方法の一例としての記録ヘッドの回復処理方法の第４実施例において、制御ユニットが、例えば、マイクロコンピュータにより構成された場合、それが、回復処理において実行するプログラムの一例をあらわすフローチャートである。
【手続補正１０】
【補正対象書類名】明細書
【補正対象項目名】００１８
【補正方法】変更
【補正の内容】
【００１８】
図２は、本発明に係るインクジェット記録装置の一例としてのシリアル型のインクジェットプリンタの要部を概略的に示す。なお、本発明に係るインクジェット記録装置の制御方法の一例としての記録ヘッドの回復方法の一例は、他のインクジェット装置、例えば、プリンタ（プリンタ複合機を含む）、電子デバイス等の製造装置、捺染装置などの産業用プリント装置に適用されてもよい。
【手続補正１１】
【補正対象書類名】明細書
【補正対象項目名】００６６
【補正方法】変更
【補正の内容】
【００６６】
（実施例１）
本発明に係るインクジェット記録装置の制御方法の一例としての記録ヘッドの回復処理方法の第１実施例は、図１に示されるように、ウェットワイピング処理工程および気泡除去処理工程を含んでなる。
【手続補正１２】
【補正対象書類名】明細書
【補正対象項目名】０１５５
【補正方法】変更
【補正の内容】
【０１５５】
（実施例２）
図１５および図１６は、本発明に係るインクジェット記録装置の制御方法の一例としての記録ヘッドの回復処理方法の第２実施例が適用される記録素子基板の要部を示す。
【手続補正１３】
【補正対象書類名】明細書
【補正対象項目名】０１８８
【補正方法】変更
【補正の内容】
【０１８８】
（実施例３）
図２０は、本発明に係るインクジェット記録装置の制御方法の一例としての記録ヘッドの回復処理方法の第３実施例が適用される記録素子基板の要部を示す。
【手続補正１４】
【補正対象書類名】明細書
【補正対象項目名】０２２０
【補正方法】変更
【補正の内容】
【０２２０】
（実施例４）
図２２は、本発明に係るインクジェット記録装置の制御方法の一例としての記録ヘッドの回復処理方法の第４実施例において、制御ユニット部５０が、例えば、マイクロコンピュータにより構成された場合、実行する回復処理プログラムの一例をあらわすフローチャートを示す。図２２は、インク増粘物ＦＳが付着したことによる不吐出が確認された場合、実行される回復処理を表すフローチャートである。